(57)【要約】【課題】強度の向上が図れ、しかも、コストの大幅な上昇を抑えることができる網袋を提供する。【解決手段】本発明の網袋は、複数本のフィラメントが互いに交差し、且つ、該交差部で接合された網目構造の網袋において、同方向に並列される前記フィラメントは、複数本の太目のフィラメント及び該太目のフィラメントよりも細い細目のフィラメントからなり、少なくとも２本の隣り合う太目のフィラメントからなる太目フィラメント組を形成し、２つの該太目フィラメント組の間に、少なくとも１本の細目のフィラメントを配設し、前記太目フィラメント組同士の交差エリアに、前記太目のフィラメントの前記交差部を頂点とする少なくとも一の四角形の交差補強部を形成したことを特徴とする。【選択図】図４
0003098001.tif 000002
【実用新案登録請求の範囲】
【請求項１】
複数本のフィラメントが互いに交差し、且つ、該交差部で接合された網目構造の網袋において、
同方向に並列される前記フィラメントは、複数本の太目のフィラメント及び該太目のフィラメントよりも細い細目のフィラメントからなり、
少なくとも２本の隣り合う太目のフィラメントからなる太目フィラメント組を形成し、２つの該太目フィラメント組の間に、少なくとも１本の細目のフィラメントを配設し、
前記太目フィラメント組同士の交差エリアに、前記太目のフィラメントの前記交差部を頂点とする少なくとも一の四角形の交差補強部を形成したことを特徴とする網袋。
【請求項２】
前記太目のフィラメント及び前記細目のフィラメントは、プラスチック製のモノフィラメントであることを特徴とする請求項１に記載の網袋。
【請求項３】
略円筒状を呈し、その一端が開口し、他端が加熱融着されて閉じていることを特徴とする請求項１又は２に記載の網袋。
【請求項４】
フィラメントは筒軸方向に対して傾斜し、且つ各網目が菱形に形成されたことを特徴とする請求項３に記載の網袋。
【請求項５】
前記太目フィラメント組の間に、３本の隣り合う細目のフィラメントを配設したことを特徴とする請求項１から４のいずれかに記載の網袋。
【考案の詳細な説明】
【０００１】
【考案の属する技術分野】
本考案は、網袋に関し、特に野菜や果物を詰め込み、または台所の水槽の排水口に設けて生ゴミを濾し取る網袋に関する。
【０００２】
【従来の技術】
この種の網袋１は、図１及び図２に示すように、複数本のプラスチック製の細目のフィラメント１０が互いに交差して接合されると共に、上下両端１１、１２に開口を有する円筒状に形成された後、下端１２側の開口を加熱融着によって閉じた網目構造となっている。
【０００３】
このように従来の網袋１は、すべてのフィラメント１０が割合に細目のものであったので、網袋１全体の強度が不足し勝ちであり、長時間使用されたり、または詰め込んだ物が重過ぎると、フィラメント１０が切断して裂けるおそれがある等の問題があった。
【０００４】
そこで、細目のフィラメント１０に代えて太目なフィラメントを採用することも考えれるが、コストが大幅に上昇し、省資源化の要請にも反するという問題が生じていた。
【０００５】
【考案が解決しようとする課題】
上記に鑑みて、本考案の目的は、強度の向上が図れ、しかも、コストの大幅な上昇を抑えることができる網袋を提供しようとすることにある。
【０００６】
【課題を解決するための手段】
上記目的を達成するために、考案者は、複数本のフィラメントが互いに交差し、且つ、該交差部で接合された網目構造の網袋において、同方向に並列される前記フィラメントは、複数本の太目のフィラメント及び該太目のフィラメントよりも細い細目のフィラメントからなり、少なくとも２本の隣り合う太目のフィラメントからなる太目フィラメント組を形成し、２つの該太目フィラメント組の間に、少なくとも１本の細目のフィラメントを配設し、前記太目フィラメント組同士の交差エリアに、前記太目のフィラメントの前記交差部を頂点とする少なくとも一の四角形の交差補強部を形成したことを特徴とする網袋を提供する。
【０００７】
この構成による網袋は、同方向に並列される前記フィラメントは、複数本の太目のフィラメント及び該太目のフィラメントよりも細い細目のフィラメントからなり、少なくとも２本の隣り合う太目のフィラメントからなる太目フィラメント組を形成し、２つの該太目フィラメント組の間に、少なくとも１本の細目のフィラメントを配設し、前記太目フィラメント組同士の交差エリアに、前記太目のフィラメントの前記交差部を頂点とする少なくとも一の四角形の交差補強部を形成したので、前記四角形の一辺の長さが短く且つ該一辺は太目のフィラメントで形成されることになって前記交差補強部の強度の向上が図れ、また、弾性復元力にも大きく寄与することができ、したがって、かかる交差補強部が網袋全体に均等に散在することによって網袋全体の強度及び弾性復元力の向上が図れる。
【０００８】
また、必要に応じて細目のフィラメントと太目のフィラメントとの本数比を調整することにより、強度の調整が可能になると共に生産コストの調整の可能になる。
【０００９】
また、前記太目のフィラメント及び前記細目のフィラメントは、プラスチック製のモノフィラメントであることが望ましい。
【００１０】
また、略円筒状を呈し、その一端が開口し、他端が加熱融着されて閉じているのが望ましい。
【００１１】
また、フィラメントは筒軸方向に対して傾斜し、且つ各網目が菱形に形成されるのが望ましい。
【００１２】
更に、前記太目のフィラメント組の間に、３本の互いに平行して隣り合っている細目のフィラメントを配設するのが望ましい。
【００１３】
【考案の実施の形態】
以下、本考案の網袋の好ましい実施形態を詳しく説明する。図３は、本考案の網袋の好ましい実施形態を示す斜視図であり、図４は、前記実施形態の一部拡大図である。図示のように、本考案の網袋２は、複数本のプラスチック材製のフィラメントが互いに交差して接合されると共に、上下両端（一端と他端）２２、２３に開口がある円筒状に形成された後、下端（他端）２３の開口が加熱融着されて閉じた、複数本のほぼ同一サイズの網目を有する網目構造のものである。また、該複数本のフィラメント交差がそれぞれ斜めになり、各網目は菱形になっている。
【００１４】
本実施形態において、前記フィラメントとして、モノフィラメントが使用されている。本考案の特徴は、図示のように、前記複数本のフィラメントは、複数本の太目のフィラメント３１及び細目のフィラメント４１からなり、且つ、太目フィラメント組３と太目フィラメント組３の間に配置されている細目フィラメント４１とで構成されている点にある。
【００１５】
太目フィラメント組３は、２本の互いに平行して隣り合っている太目のフィラメント３１，３１からなる。太目フィラメント組３の間に配設される細目フィラメント４１は少なくとも１本であるが、本実施形態では３本の互いに平行して隣り合っている細目のフィラメント４１，４１，４１からなる細目フィラメント組４を太目フィラメント組３の間に配設している。
【００１６】
太目フィラメント組３と他の方向の太目フィラメント組３との交差エリアは図４のように菱形になり、かつ、加熱融着によって太目のフィラメント３１同士が剛接された交差部３１１を菱形の頂点に位置することによって交差補強部３Ａが形成されている。
【００１７】
このような網袋２は、公知のネット押出成形法により得られる。
【００１８】
また、網袋２の太目フィラメント組３の太目のフィラメント３１の本数、または、太目のフィラメント組３，３の間にある細目のフィラメント組４の細目のフィラメント４１の本数を増減させることによって網袋２の用途等に応じて強度及び生産コストの調整が図れる。
【００１９】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【００２０】
【考案の効果】
本考案の網袋によれば、前記交差補強部が網袋全体に均等に散在することになるので、網袋全体の強度及び弾性復元力の向上が図れ、しかも、すべてのフィラメントを太目のものにするのに較べて生産コストの面でも有利になる
また、必要に応じて細目のフィラメントと太目のフィラメントとの本数比を調整することにより、強度の調整が可能になると共に生産コストの調整が可能になる。
【図面の簡単な説明】
【図１】従来の網袋の斜視図
【図２】図１の一部拡大図
【図３】本考案の網袋の好ましい実施形態の斜視図
【図４】前記実施形態の一部拡大図
【符号の説明】
２．．．網袋
２２．．．上端（一端）
２３．．．下端（他端）
３．．．太目のフィラメント組
３１．．．太目のフィラメント
３１１．．．交差部
４．．．細目のフィラメント組
４１．．．細目のフィラメント
【図１】
0003098001.tif 000003
【図２】
0003098001.tif 000004
【図３】
0003098001.tif 000005
【図４】
0003098001.tif 000006